(57)【要約】【課題】印刷依頼元と異なる端末装置に印刷完了通知を送信する方法を提供する。【解決手段】プリント・サーバはネットワークに接続された端末装置から印刷依頼を受信するときに、印刷完了送信先の情報と共に印刷データを受信し、その情報をプリント・サーバ内で管理することにより、プリンタ装置からの印刷完了通知を受信したときに、該当する印刷依頼の完了通知を送信する端末装置を識別して、該当する端末装置にのみ印刷完了通知を送信するように構成する。【選択図】    図１
2004295440.tif 000002
【特許請求の範囲】
【請求項１】
ネットワークに接続された端末装置からプリント・サーバが印刷依頼を受信してプリンタ装置へ印刷データを送信し，プリンタ装置の印刷状況を管理するプリント・サーバの印刷状況通知方法であって、
前記端末装置から印刷データを印刷完了送信先の端末情報と共に受信し、印刷依頼ＤＢに格納するステップと、
前記プリンタ装置に印刷データを送信するステップと、
前記プリンタ装置から印刷完了通知を受信したときに、前記印刷依頼ＤＢの印刷完了送信先の端末情報から送信すべき端末を特定し、印刷完了通知を送信するステップと
を有することを特徴とする印刷状況通知方法。
【請求項２】
ネットワークに接続された端末装置からプリント・サーバが印刷依頼を受信してプリンタ装置へ印刷データを送信し，プリンタ装置の印刷状況を管理するプリント・サーバの印刷状況通知方法であって、
担当業務ごとに定められた端末を特定する情報を記憶した担当業務振分テーブルと、
前記端末装置から印刷データを印刷完了送信先の業務情報と共に受信し、印刷依頼ＤＢに格納するステップと、
前記プリンタ装置に印刷データを送信するステップと、
前記プリンタ装置から印刷完了通知を受信したときに、前記印刷依頼ＤＢの印刷完了送信先の業務情報と前記担当業務振分テーブルから送信すべき端末を特定し、印刷完了通知を送信するステップと
を有することを特徴とする印刷状況通知方法。
【請求項３】
ネットワークに接続された端末装置から印刷データを受信し，印刷状況を管理するプリンタ装置の印刷状況通知方法であって、
前記端末装置から印刷データを印刷完了送信先の端末情報と共に受信し、印刷依頼ＤＢに格納するステップと、
前記印刷データの印刷が完了したときに、前記印刷依頼ＤＢの印刷完了送信先の端末情報から送信すべき端末を特定し、印刷完了通知を送信するステップと
を有することを特徴とする印刷状況通知方法。
【請求項４】
ネットワークに接続された端末装置から印刷データを受信し，印刷状況を管理するプリンタ装置の印刷状況通知方法であって、
担当業務ごとに定められた端末を特定する情報を記憶した担当業務振分テーブルと、
前記端末装置から印刷データを印刷完了送信先の業務情報と共に受信し、印刷依頼ＤＢに格納するステップと、
前記印刷データの印刷が完了したときに、前記印刷依頼ＤＢの印刷完了送信先の業務情報と前記担当業務振分テーブルから送信すべき端末を特定し、印刷完了通知を送信するステップと
を有することを特徴とする印刷状況通知方法。
【請求項５】
ネットワークに接続された端末装置からプリント・サーバが印刷依頼を受信してプリンタ装置へ印刷データを送信し，プリンタ装置の印刷状況を管理するプリント・サーバの印刷状況通知をするためのプログラムであって、該プリント・サーバに、
前記端末装置から印刷データを印刷完了送信先の端末情報と共に受信し、印刷依頼ＤＢに格納するステップと、
前記プリンタ装置に印刷データを送信するステップと、
前記プリンタ装置から印刷完了通知を受信したときに、前記印刷依頼ＤＢの印刷完了送信先の端末情報から送信すべき端末を特定し、印刷完了通知を送信するステップと
を有することを特徴とする印刷状況通知プログラム。
【発明の詳細な説明】
【０００１】
【発明の属する技術的な分野】
本発明は、ネットワークにより接続されている複数の端末装置から、印刷命令を受けるプリント・サーバまたはプリンタ装置において、印刷完了通知を送信する通知先を管理する印刷システムに関する。
【０００２】
【従来の技術】
従来ネットワーク網に接続されたプリント・サーバもしくはプリンタ装置は複数の端末装置から印刷命令を受け取り、順次印刷を実行している。そして端末装置は印刷をしたデータが今どのような状態にあるか（印刷待ち、印刷中または印刷完）をプリント・サーバまたはプリンタ装置の持つモニタ機能により各端末装置側で把握する事ができ、印刷が完了したことを認識した時点でプリンタ装置のあるところまで印刷物を取りにいくようになっている。そのための手法として、印刷完了をリアルタイムで知るために、端末装置の識別番号に対応した印刷終了通知音を発生させることにより、ユーザが印刷終了通知音によって自分の印刷命令の印刷完了を認識させる特許文献１がある。
【０００３】
【特許文献１】特開平７−１５６４６１号公報
【０００４】
【発明が解決しようとする課題】
しかしながら、印刷依頼をかけたユーザとその印刷物を使用するユーザが異なる場合において従来の技術を使用した場合は、印刷依頼をかけたユーザがプリント・サーバもしくはプリンタ装置から特許文献１のような方法を用いて印刷完了を認識し、印刷依頼をかけたユーザが印刷物を取りにいって印刷物を使用するユーザに渡すか、もしくは印刷依頼をかけたユーザが印刷物を使用するユーザに印刷物がプリンタにあることを知らせることにより、印刷物を取りにいかせるような動作が必要になり、非常に複雑な作業を要し、そのために仕事の連携がはかどらない等の弊害が生じている。
【０００５】
また、端末装置とプリンタ装置がネットワーク網で接続されてはいるが、非常に遠い場所（例えば、異なるフロア等）により、プリンタ装置の発する印刷完了通知音が聞こえないことにより、自分の担当する印刷物が印刷完了したにもかかわらず、リアルタイムに印刷物を取りにいくことができないという問題もある。
【０００６】
更には、印刷依頼をかけたユーザと印刷された印刷物を使用するユーザが１対１でない場合には、印刷依頼をかけたユーザが印刷物をそれぞれの担当に振り分けなければならない、という問題もある。
【０００７】
本発明は、上記の点に鑑みてなされたもので、その目的とするところは印刷依頼をかけたユーザとその印刷された印刷物を使用するユーザが異なる人の場合においても、印刷物を使用するユーザは自分の担当する印刷物の印刷完了をリアルタイムに知ることができ、更には印刷依頼をかけるユーザは印刷依頼をするだけで、印刷物を担当するユーザに通知されるため、複雑な作業を必要としなくなるための印刷状況通知方法を提供することにある。
【０００８】
【課題を解決するための手段】
本発明はかかる事情に鑑みてなされたものであって、端末装置から印刷依頼を送信するときに、印刷完了通知をどの端末に送るのかの指定を情報として送り、プリント・サーバまたはプリンタ装置は、印刷終了時に印刷依頼送信元ではなく、指定された端末に印刷終了通知を送信する。印刷終了通知先は、直接端末を識別する情報（例えばＩＰアドレスなど）でもよいし、業務ごとに端末が振分可能な場合は、予め業務ごとの担当端末情報を定めておけば印刷物を使用する業務を指定することも可能である。
【０００９】
本機能を使用することにより、印刷依頼者は印刷依頼をかけるときに、印刷終了通知先を指定することで、プリント・サーバまたはプリンタは印刷終了時に指定された通知先に印刷終了通知を行うことが可能になる。また、印刷依頼者が印刷依頼をかけるときに、印刷終了通知先を予め定められた業務の種類で指定することにより、印刷依頼者は印刷終了通知先を指定する端末を特定できなくても該当する業種の端末へ印刷終了を通知することが可能になる。
【００１０】
【発明の実施の形態】
図１に本発明の一実施形態であるシステムの全体図を示す。プリント・サーバ１とプリンタ装置２はネットワーク網４により複数の端末装置３１〜３３と接続可能な構成である。
【００１１】
プリント・サーバ１は情報処理装置であり、例えばパーソナルコンピュータ等である。プリント・サーバ１はプログラムを読み込む事によって、このプログラムに従った処理をする処理部分と端末装置３１〜３３から依頼を受けた印刷データや担当業務ごとに振り分けられた端末装置を表わす情報を記憶してある記憶装置から構成されている。
【００１２】
このプログラムは端末装置３１〜３３から印刷依頼の情報がネットワーク４を経由してプリント・サーバ１にされたときに、印刷依頼ＤＢ１１に必要な情報を書き込む。そして、プリンタ装置２が印刷データ受け入れ可能状態のときに順次印刷データを送信する処理を行う。さらにプリント・サーバ１はプリンタ装置２から送られてくるエラー情報もしくは印刷完了情報を受信し、エラーの時はエラー通知を印刷依頼元に対して行い、印刷完了の時には印刷依頼ＤＢ１１に記憶してある印刷完了送信先に対して印刷完了通知を行う処理を行う。
【００１３】
プリンタ装置２は印刷装置である。プリンタ装置２はプログラムを読み込む事によって、このプログラムに従った処理をする部分と図示されてはいないが記憶領域から構成されている。
【００１４】
このプログラムは、プリント・サーバ１から送信された印刷データを印刷し、印刷中にエラーが生じたり正常に印刷が終了した時にその情報をプリント・サーバ１に通知する。
【００１５】
端末装置３１乃至３３は情報処理装置であり、例えばパーソナルコンピュータ等である。ユーザは端末装置３１乃至３３内のアプリケーションで作成した印刷データやインターネット等のネットワーク上から入手したデータを印刷するときに、印刷したいプリンタを選択して印刷依頼を行なう。印刷依頼を行う際にユーザは印刷設定画面から印刷部数や印刷するページ等の指定を行うのと同時に、この印刷依頼が終了した時の通知を行う端末を指定する。本指定により、プリント・サーバ１に印刷依頼と同時に印刷完了送信先の情報が送られ、プリント・サーバ１は本内容を印刷依頼ＤＢ１１に記憶し、プリンタ装置２から印刷終了の通知がきたときにプリントサーバ１は印刷依頼ＤＢ１１に記憶されている情報から印刷完了送信先を抽出し、印刷完了通知を行うことが可能になる。
【００１６】
以下図面に基づいて本発明の一実施形態による印刷情報通知方法について説明する。
【００１７】
図１に示されるようにこのシステムはプリント・サーバ１、プリンタ装置２および端末装置３１乃至３３から構成されている。
【００１８】
プリント・サーバ１は端末装置３１乃至３３から受信した印刷データを印刷依頼ＤＢ１１、担当業務ごとに定められた端末装置を定義する担当業務振分テーブル１２、端末装置３１乃至３３から送信された印刷データを受け付け、印刷依頼ＤＢ１１に記憶する印刷データ受付手段１４、プリンタ装置２に対して印刷データを順次送信する印刷データ送信手段１５、プリンタ装置２から印刷文書の印刷情報を入手し、印刷情報を印刷送信依頼元もしくは印刷完了送信先に対して送信する印刷状況受付手段１６、そしてプリンタ装置２からの印刷情報が印刷完了の情報であったときに印刷依頼ＤＢ１１から該当する印刷依頼データを削除する印刷履歴管理手段１７とに大別することができる。
【００１９】
印刷データ受付手段１４は、端末装置３１乃至３３から印刷データを受信すると、図示されていない印刷データ記憶領域に印刷データを格納し、図２に示されるような印刷依頼ＤＢ１１に印刷依頼元端末ＩＤと印刷完了送信先端末ＩＤおよび印刷データが記憶されている領域のデータポインタを記憶する。また印刷依頼ＤＢ１１は、図３に示されるように依頼元端末ＩＤ，依頼元送信先業務、および印刷データが記憶されている領域のデータポインタを記憶するようにしてもよい。その場合の印刷完了通知を送信する端末は別途詳細に記述するが、図４に示される担当業務振分テーブル１２により、決定される。
【００２０】
印刷データ受付手段１４のフローチャートを図８に示す。印刷データ受付手段１４は、端末装置３１乃至３３から印刷依頼が送信されているかを常に監視している（Ｓｔｅｐ１０）。印刷データを印刷完了送信先と共に受信する（Ｓｔｅｐ１２）と、次に印刷データを図示されていない記憶領域に記憶し、そのデータポインタと印刷依頼元端末と印刷完了送信先端末を示す情報を印刷依頼ＤＢ１１に記録する（Ｓｔｅｐ１４）。このようにして印刷データ受付手段１４は、端末装置３１乃至３３から印刷依頼を受信し、そのデータを図示されていない記憶領域および印刷依頼ＤＢ１１に記憶するまでの処理を行っている。
【００２１】
印刷データ送信手段１５のフローチャートを図９に示す。印刷データ送信手段１５は、プリンタ装置２が印刷データ受付可能常態かどうかを常に監視している（Ｓｔｅｐ２０）。プリンタが印刷データ受付可能のとき、印刷依頼ＤＢ１１に印刷データがあるかどうかを確認し（Ｓｔｅｐ２２）、ある場合は印刷依頼ＤＢ１１に記憶されているデータポインタから印刷データを順次送信する（Ｓｔｅｐ２４）。このようにして印刷データ送信手段１５は、プリンタ装置２が印刷データを受付可能かどうかを常に監視し、可能なときに印刷依頼ＤＢ１１に記憶されているデータポインタから印刷データをプリンタ装置２に送信する処理を行っている。
【００２２】
印刷状況受付手段１６のフローチャートを図１０に示す。印刷状況受付手段１６は、プリンタ装置２から印刷状況に関する情報が送られてきたかどうかを常に監視している（Ｓｔｅｐ３０）。プリンタ装置２から印刷状況を受信したとき、その印刷状況が印刷完了通知かどうかを確認する（Ｓｔｅｐ３２）。印刷完了通知の場合はＳｔｅｐ３４に進み、異なる場合はＳｔｅｐ４０へ進む。
【００２３】
Ｓｔｅｐ３４では、印刷依頼ＤＢ１１から該当する印刷依頼を探す処理を行う。一般的にプリンタ装置２から印刷状況を通知する場合、どの印刷依頼に関する印刷状況なのかを識別する情報と共に送信されてくる。今回は一つの例として印刷依頼Ｎｏ．を識別する情報とする。プリンタ装置２から送られてきた印刷依頼Ｎｏ．をキーに印刷完了送信先端末業務を取得する。次にＳｔｅｐ３４で取得した印刷完了業務と印刷業務振分テーブル２から印刷完了を送信する端末ＩＤを取得する（Ｓｔｅｐ３６）。そしてＳｔｅｐ３６で取得した端末ＩＤに図７に示すような印刷完了通知を送信する（Ｓｔｅｐ３８）。
【００２４】
Ｓｔｅｐ４０では、印刷完了通知以外の印刷状況の処理を行う。印刷依頼ＤＢ１１から印刷依頼Ｎｏ．をキーに印刷依頼元端末ＩＤを取得する。次にＳｔｅｐ４０で取得した依頼元端末ＩＤに印刷状況通知を行う（Ｓｔｅｐ４２）。Ｓｔｅｐ４２で送信する印刷状況とは例えば用紙なしエラーや用紙ジャムエラーなどである。
【００２５】
印刷履歴管理手段１７のフローチャートを図１１に示す。印刷履歴管理手段１７は、印刷状況受付手段１６が処理後に処理するもので、プリンタ装置２からの印刷状況が印刷完了通知かどうかを確認し（Ｓｔｅｐ５０）、印刷完了通知の場合は印刷依頼ＤＢ１１から印刷依頼Ｎｏ．をキーにして該当する印刷依頼を探し、データを削除する（Ｓｔｅｐ５２）。
【００２６】
以上までの処理がプリント・サーバ１が端末装置３１乃至３３から印刷依頼を受信し、プリンタ装置２から印刷完了通知を受信したときの動作までの処理の説明である。
【００２７】
以下順次図面の詳細を説明する。
【００２８】
図２は、印刷依頼ＤＢ１１（例１）の構成図である。左から順にＮｏ．（印刷依頼Ｎｏ．）、依頼元端末ＩＤ、印刷完了送信先端末ＩＤ、データポインタという構成になっている。Ｎｏ．は印刷依頼を受け付けた順に順次自動的に付与されるものである。依頼元端末ＩＤは、印刷依頼を送信してきた端末装置を識別する情報を記憶してある。図１では、端末装置３１をＩＤ＝１，端末装置３２をＩＤ＝２そして端末装置３３をＩＤ＝３と定義してあるので、そのＩＤを使用して依頼元端末ＩＤを記憶する。依頼元端末ＩＤは端末装置ごとに定義されたＩＤでなくても、端末装置を識別できる情報であればよい。印刷完了送信先端末ＩＤは、印刷依頼を送信する端末装置３１乃至３３から指定された情報で、印刷完了を通知する端末を識別する情報を記憶する。印刷完了送信先端末ＩＤも依頼元端末ＩＤと同様に端末装置ごとに定義されたＩＤでなく、端末装置を識別できる情報であればよい。データポインタは図示されていない記憶領域に記憶された印刷データのデータ開始位置を示すものである。データポインタは各印刷依頼ＤＢの印刷データを記憶した位置さえわかればよいので、例えばファイル名を記憶し、図示されていない記憶領域にて、ファイル名のポインタを記憶するようにしてもよい。
【００２９】
図３は印刷依頼ＤＢ（例２）の構成図である。左から順にＮｏ．（印刷依頼Ｎｏ．）、依頼元端末ＩＤ、印刷完了送信先業務、データポインタという構成になっている。図２の印刷依頼ＤＢ（例１）と異なる点は印刷完了送信先端末ＩＤの代わりに印刷完了送信先業務が記憶されている。印刷完了送信先業務は、印刷依頼を送信する端末装置３１乃至３３から指定された情報で、印刷完了を通知する業務を識別する情報を記憶する。図１における印刷完了送信先端末ＩＤは、印刷依頼をかける端末装置３１乃至３３が印刷完了通知を送信する送信先を認識していなければならないが、図２のように印刷完了通知を受信する担当業務の指定をするようにしておけば、予め印刷依頼をかける端末装置３１乃至３３は印刷完了送信先端末の情報を知らなくても良い。その際、プリント・サーバ１は図３に示す担当業務振分テーブルにより業務から送信すべき端末装置のＩＤを取得し、印刷完了通知をすることが可能になる。
【００３０】
図４は担当業務振分テーブルの構成図である。左から順に業務、端末ＩＤという構成になっている。業務には、予め定義された業務の種類が例えば、カルテ、請求書、処方箋のように記憶されており、端末ＩＤには各業務を担当する端末を識別する情報が記憶されている。端末ＩＤは業務に最低１つ以上存在する。
【００３１】
図５は端末装置３１乃至３３から印刷依頼をかける時に出力指示をする際の出力指示画面（出力端末ＩＤ指定の場合）である。出力指示画面は、出力先を指定するプリンタ名、出力範囲を指定する印刷範囲、印刷部数、出力通知先からなっており、出力通知先によって、印刷完了を通知する端末を指定する。
【００３２】
図６は出力指示画面（出力業務指定ＩＤの場合）であり、出力通知先の指定方法が業務の種別である以外は図５と同じである。
【００３３】
図７は印刷完了通知画面であり、出力端末ＩＤ指定の場合と業務ＩＤ指定の場合と２種類の通知画面を表わしている。
【００３４】
以下プリント・サーバ１の処理の名晴れを図を用いて説明する。ユーザが端末装置３１（ＩＤ＝１）でアプリケーションを起動し、印刷処理を実行する。印刷実行する際には図６に示す出力指示画面によって行う。このとき、出力通知先をＩＤ：処方箋とする。すると端末装置３１内のプリンタドライバがプリンタ装置２の仕様にあわせた形式に印刷データを生成し、印刷依頼元ＩＤと印刷完了送信先業務ＩＤと共にプリント・サーバ１に対して印刷依頼をする。
【００３５】
印刷依頼を受信したプリント・サーバ１の印刷データ受付手段１４は、図示しない記憶領域に印刷データを記憶し、印刷依頼ＤＢ１１にＮｏ．を割り振って、依頼元端末ＩＤ，印刷完了送信先業務、データポインタを図３の例えば、Ｎｏ．１のように記憶する。プリント・サーバ１の印刷データ送信手段１５は、プリンタ装置２の入力バッファを常に監視しており、入力バッファが空き次第順次印刷データをプリンタ装置２に送信する。プリント・サーバ１から印刷データを受信したプリンタ装置２は印刷データを記憶領域に格納し、順次印刷の処理を行う。
【００３６】
プリンタ装置２は印刷完了もしくは印刷中に起こったエラー情報などの印刷状況を印刷依頼Ｎｏ．と共にプリント・サーバ１に送信する。
【００３７】
プリント・サーバ１の印刷状況受付手段１６は、プリンタ装置２からの印刷状況を受信すると、その印刷状況が印刷完了かどうかを確認し、印刷完了の場合は、印刷依頼Ｎｏ．と印刷依頼ＤＢ１１（図３）から印刷完了送信先業務を特定する。今回は印刷依頼Ｎｏ．１なので、印刷完了送信先業務は処方箋となる。次に担当業務振分テーブル１２から、該当する業務を担当する端末を割り出す。今回の処方箋業務は図４の担当業務振分テーブルによると端末ＩＤ＝３が担当していることが判明し、印刷依頼Ｎｏ．０００１の印刷完了通知を端末ＩＤ＝３（端末装置３３）に対して行う。そして、印刷履歴管理手段１７が印刷依頼ＤＢ１１の印刷依頼Ｎｏ．０００１のデータを削除することにより、一連の印刷処理が終了する。
【００３８】
以上のようにして、端末装置３１乃至３３から印刷依頼を受信したプリント・サーバ１は印刷依頼情報に印刷完了送信先端末情報を含めて管理し、プリンタ装置２に対して印刷データを送信し、プリンタ装置２から印刷完了通知を受信した際には、印刷依頼元端末が指定した印刷完了送信先に対して印刷完了通知を行うことが可能になる。
【００３９】
さらに、端末装置３１乃至３３は印刷完了送信先を指定する際に、端末装置を識別する情報を知る必要なく、印刷完了した印刷物を使用する業務を指定するだけで、プリント・サーバ１が印刷完了を通知する際に、該当する業務を担当する端末装置を識別し、その端末装置に対して印刷完了通知を行うことが可能なので、端末装置を操作するユーザは印刷完了送信先端末の情報を知らなくても操作が可能になる。
【００４０】
尚、本発明の実施例としてプリント・サーバとプリンタ装置が分離したシステム形式で説明したが、プリンタ装置にプリント・サーバ機能を持たせる事も可能である。その場合は、端末装置３１乃至３３から直接プリンタ装置２に印刷データを送信し、プリンタ装置２が印刷完了を送信する送信先を識別して印刷完了通知を行うことで実現可能である。
【００４１】
（付記１）
ネットワークに接続された端末装置からプリント・サーバが印刷依頼を受信してプリンタ装置へ印刷データを送信し，プリンタ装置の印刷状況を管理するプリント・サーバの印刷状況通知方法であって、
前記端末装置から印刷データを印刷完了送信先の端末情報と共に受信し、印刷依頼ＤＢに格納するステップと、
前記プリンタ装置に印刷データを送信するステップと、
前記プリンタ装置から印刷完了通知を受信したときに、前記印刷依頼ＤＢの印刷完了送信先の端末情報から送信すべき端末を特定し、印刷完了通知を送信するステップと
を有することを特徴とする印刷状況通知方法。
【００４２】
（付記２）
ネットワークに接続された端末装置からプリント・サーバが印刷依頼を受信してプリンタ装置へ印刷データを送信し，プリンタ装置の印刷状況を管理するプリント・サーバの印刷状況通知方法であって、
担当業務ごとに定められた端末を特定する情報を記憶した担当業務振分テーブルと、
前記端末装置から印刷データを印刷完了送信先の業務情報と共に受信し、印刷依頼ＤＢに格納するステップと、
前記プリンタ装置に印刷データを送信するステップと、
前記プリンタ装置から印刷完了通知を受信したときに、前記印刷依頼ＤＢの印刷完了送信先の業務情報と前記担当業務振分テーブルから送信すべき端末を特定し、印刷完了通知を送信するステップと
を有することを特徴とする印刷状況通知方法。
【００４３】
（付記３）
ネットワークに接続された端末装置から印刷データを受信し，印刷状況を管理するプリンタ装置の印刷状況通知方法であって、
前記端末装置から印刷データを印刷完了送信先の端末情報と共に受信し、印刷依頼ＤＢに格納するステップと、
前記印刷データの印刷が完了したときに、前記印刷依頼ＤＢの印刷完了送信先の端末情報から送信すべき端末を特定し、印刷完了通知を送信するステップと
を有することを特徴とする印刷状況通知方法。
【００４４】
（付記４）
ネットワークに接続された端末装置から印刷データを受信し，印刷状況を管理するプリンタ装置の印刷状況通知方法であって、
担当業務ごとに定められた端末を特定する情報を記憶した担当業務振分テーブルと、
前記端末装置から印刷データを印刷完了送信先の業務情報と共に受信し、印刷依頼ＤＢに格納するステップと、
前記印刷データの印刷が完了したときに、前記印刷依頼ＤＢの印刷完了送信先の業務情報と前記担当業務振分テーブルから送信すべき端末を特定し、印刷完了通知を送信するステップと
を有することを特徴とする印刷状況通知方法。
【００４５】
（付記５）
ネットワークに接続された端末装置からプリント・サーバが印刷依頼を受信してプリンタ装置へ印刷データを送信し，プリンタ装置の印刷状況を管理するプリント・サーバの印刷状況通知をするためのプログラムであって、該プリント・サーバに、
前記端末装置から印刷データを印刷完了送信先の端末情報と共に受信し、印刷依頼ＤＢに格納するステップと、
前記プリンタ装置に印刷データを送信するステップと、
前記プリンタ装置から印刷完了通知を受信したときに、前記印刷依頼ＤＢの印刷完了送信先の端末情報から送信すべき端末を特定し、印刷完了通知を送信するステップと
を有することを特徴とする印刷状況通知プログラム。
【００４６】
（付記６）
ネットワークに接続された端末装置からプリント・サーバが印刷依頼を受信してプリンタ装置へ印刷データを送信し，プリンタ装置の印刷状況を管理するプリント・サーバの印刷状況通知をするためのプログラムであって、該プリント・サーバに、
前記端末装置から印刷データを印刷完了送信先の業務情報と共に受信し、印刷依頼ＤＢに格納するステップと、
前記プリンタ装置に印刷データを送信するステップと、
前記プリンタ装置から印刷完了通知を受信したときに、前記印刷依頼ＤＢの印刷完了送信先の業務情報と担当業務ごとに定められた端末を特定する情報を記憶した担当業務振分テーブルとから送信すべき端末を特定し、印刷完了通知を送信するステップと
を有することを特徴とする印刷状況通知プログラム。
【００４７】
（付記７）
ネットワークに接続された端末装置からプリント・サーバが印刷依頼を受信してプリンタ装置へ印刷データを送信し，プリンタ装置の印刷状況を管理するプリント・サーバであって、
前記端末装置から印刷データを印刷完了送信先の端末情報と共に受信し、印刷依頼ＤＢに格納する印刷データ受付手段と、
前記プリンタ装置に印刷データを送信する印刷データ送信手段と、
前記プリンタ装置から印刷完了通知を受信したときに、前記印刷依頼ＤＢの印刷完了送信先の端末情報から送信すべき端末を特定し、印刷完了通知を送信する印刷状況受付手段と
を有することを特徴とするプリント・サーバ。
【００４８】
（付記８）
ネットワークに接続された端末装置から印刷データを受信し，印刷状況を管理するプリンタ装置であって、
前記端末装置から印刷データを印刷完了送信先の端末情報と共に受信し、印刷依頼ＤＢに格納する手段と、
前記印刷データの印刷が完了したときに、前記印刷依頼ＤＢの印刷完了送信先の端末情報から送信すべき端末を特定し、印刷完了通知を送信する手段と
を有することを特徴とするプリンタ装置。
【００４９】
【発明の効果】
以上の説明から明らかなように本発明によれば、プリント・サーバ１またはプリンタ装置２は印刷依頼時に印刷完了送信先の情報を含めた印刷データを受信することで、印刷完了時に印刷依頼元ではない指定された印刷完了通知先に対して印刷完了通知を送信することが可能になる。
【００５０】
さらに、担当業務振分テーブルをプリント・サーバ１もしくはプリンタ装置２にて保持することにより、印刷依頼をかけるユーザは印刷完了通知先の端末を意識することなく印刷完了を通知したい業務を指定さえすれば、該当する端末装置に印刷完了通知が送られることになる。
【図面の簡単な説明】
【図１】本発明の一実施形態の全体図
【図２】印刷依頼ＤＢ（例１）
【図３】印刷依頼ＤＢ（例２）
【図４】担当業務振分テーブル
【図５】出力指示画面（出力端末ＩＤ指定の場合）
【図６】出力指示画面（出力業務ＩＤ指定の場合）
【図７】印刷完了通知画面
【図８】印刷データ受信手段
【図９】印刷データ送信手段
【図１０】印刷状況受付手段
【図１１】印刷履歴管理手段
【符号の説明】
１：  プリント・サーバ
２：  プリンタ装置
４：    ネットワーク
１１：  印刷依頼ＤＢ
１２：  担当業務振分テーブル
１４：  印刷データ受付手段
１５：  印刷データ送信手段
１６：  印刷状況受付手段
１７：  印刷履歴管理手段
３１〜３３：  端末装置
【図１】
2004295440.tif 000003
【図２】
2004295440.tif 000004
【図３】
2004295440.tif 000005
【図４】
2004295440.tif 000006
【図５】
2004295440.tif 000007
【図６】
2004295440.tif 000008
【図７】
2004295440.tif 000009
【図８】
2004295440.tif 000010
【図９】
2004295440.tif 000011
【図１０】
2004295440.tif 000012
【図１１】
2004295440.tif 000013